(57)【要約】【課題】  ＬＥＤを利用した植物育成装置を提供する。【解決手段】  赤色ＬＥＤ２と青色ＬＥＤ３を６対４の割合とした混合光源を設けたパネル１と、このパネル１の中央を貫通した給水管５の下端に取付けた散水板６と、前記パネル１及び/又は給水管５を回転可能に軸支した上部透明筒体８と、下端に土及び育成剤等を含む土壌部１２を設け、底面にドリップ部１３を有する下部透明筒体９と、前記下部透明筒体９の上方外周面に上記上部透明筒体８を上下動可能に係合させる係合部１０と、前記土壌部に植えられた苗又は種子などの植物１４とから成り、苗又は種子の成長に応じてＬＥＤの照射及び散水を調節できるようにしたＬＥＤ光源を用いた植物育成装置。【選択図】    図１
0003105360.tif 000002
【実用新案登録請求の範囲】
【請求項１】
赤色ＬＥＤと青色ＬＥＤを６対４の割合とした混合光源を設けたパネルと、
このパネルの中央を貫通した給水管の下端に取付けた散水板と、
前記パネル及び／又は給水管を回転可能に軸支した上部透明筒体と、
下端に土及び育成剤等を含む土壌部を設け、底面にドリップ部を有する下部透明筒体と、
前記下部透明筒体の上方外周面に前記上部透明筒体を上下動可能に係合させる係合部と、
前記土壌部に植えられた苗又は種子などの植物とから成り、
苗又は種子の成長に応じてＬＥＤの照射及び散水を調節できるようにしたことを特徴とするＬＥＤ光源を用いた植物育成装置。
【請求項２】
赤色ＬＥＤ及び青色ＬＥＤに緑色ＬＥＤを加え、赤色ＬＥＤを６割とし、残りを青色ＬＥＤと緑色ＬＥＤとした請求項１記載のＬＥＤ光源を用いた植物育成装置。
【請求項３】
上部透明筒体と下部透明筒体にはそれぞれ通気孔を設けた請求項１記載のＬＥＤ光源を用いた植物育成装置。
【請求項４】
上部透明筒体に設けたパネル及び散水板が、モータ、連結機構等の駆動部やスイッチ、タイマーその他の制御部により回転、照射、給水を調節できるようにした請求項１記載のＬＥＤ光源を用いた植物育成装置。
【考案の詳細な説明】
【技術分野】
【０００１】
本考案は、ＬＥＤ光源を用いた植物育成装置に関するものである。
【背景技術】
【０００２】
従来からＬＥＤ光源が太陽光の届かない室内や暗い場所等で植物の育成を助成する作用があることは知られており、このようなＬＥＤ光源を利用したものとして、植物育成のための人工光の照射制御方法が提案されている。
【特許文献１】特開２００１−４４号公報
【考案の開示】
【考案が解決しようとする課題】
【０００３】
従来植物の育成に用いられる光源としてのＬＥＤは高輝度の赤色発光ダイオードが主体であったが、この赤色発光ダイオードだけでは植物において十分な光合成ができず生育が望めなかった。
【０００４】
本考案では、赤色ＬＥＤを６割程度用いると共にこれに青色ＬＥＤや緑色ＬＥＤを混合した混合光源を用いて、照射効率を改善しようとするものであり、さらに上下の透明筒体を設けて高さの調節を自在として、照射量、時間、給水量、肥料、栄養素等の供給調節を容易にしようとするものである。
【課題を解決するための手段】
【０００５】
本考案では、上記の課題解決のため、第１考案として、赤色ＬＥＤと青色ＬＥＤを６対４の割合とした混合光源を設けたパネルと、このパネルの中央を貫通した給水管の下端に取付けた散水板と、前記パネル及び／又は給水管を回転可能に軸支した上部透明筒体と、下端に土及び育成剤等を含む土壌部を設け、底面にドリップ部を有する下部透明筒体と、前記下部透明筒体の上法外周面に前記上部透明筒体を上下動可能に係合させる係合部と、前記土壌部に植えられた苗又は種子などの植物とから成り、苗又は種子の成長に応じてＬＥＤの照射及び散水を調節できるようにしたＬＥＤ光源を用いた植物育成装置とした。
【０００６】
第２考案では、赤色ＬＥＤ及び青色ＬＥＤに緑色ＬＥＤを加え、赤色ＬＥＤを６割とし、残りを青色ＬＥＤと緑色ＬＥＤとしたＬＥＤ光源を用いた植物育成装置とした。
【０００７】
第３考案では、上部透明筒体と下部透明筒体にはそれぞれ通気孔を設けたＬＥＤ光源を用いた植物育成装置とした。
【０００８】
第４考案では、上部透明筒体に設けたパネル及び散水板が、モータ、連結機構等の駆動部やスイッチ、タイマーその他の制御部により回転、照射、給水を調節できるようにしたＬＥＤ光源を用いた植物育成装置とした。
【考案の効果】
【０００９】
本考案では、赤色ＬＥＤを６割に対して青色ＬＥＤその他を４割程度用いた混合光源とした。青色ＬＥＤの輝度も最近は極端に向上してきたので、赤色ＬＥＤと同等に使用することができ、混合光源として太陽光に近い光量とエネルギーを与えて、植物が吸収し易くなり、光合成作用を助長促進できるようになった。
【００１０】
さらに、高さの調節ができる上部透明筒体に設けた制御部により、ＬＥＤの照射時間、照射距離、混合割合等を調節可能としたので、成長に応じた育成装置の形態を実現できる。
【考案を実施するための最良の形態】
【００１１】
植物の光合成作用を助長促進しやすい赤色ＬＥＤと青色ＬＥＤとの混合光源を用いることにより、日光の照射が十分でない場所でも植物の育成が可能となった。赤色ＬＥＤの６割に対して４割の青色ＬＥＤ又は緑色ＬＥＤを混合することによりＬＥＤの照射効果が一段と向上した。
【００１２】
本考案では、上部透明筒体の上下によりＬＥＤの照射距離を調節でき、光源の回転を加えて効率的な照射ができ植物の育成を向上させた。
【実施例１】
【００１３】
図１に示した育成装置において、１はパネルで、赤色ＬＥＤ２を６割に対して青色ＬＥＤ３を４割程度にすることにより、白昼と同様な照射効果を植物に与えることができた。混合されるＬＥＤは青色ＬＥＤに限らず、緑色ＬＥＤ、その他のＬＥＤの使用も可能である。
【００１４】
パネル１はモータのような駆動源４により回転できるので、照射方向や光源位置により植物の種類のより加減調節を可能とした。
【００１５】
５は給水管で、パネル１の中央を貫通してパネルの下方に位置して散水板６を設けた。この注水孔にジョウゴを差込み、水や成長剤等を供給し易くし、散水板により適宜均等に撒布できるようにした。
【００１６】
７はタイマーやスイッチなどの制御部であり、植物の種類や品種により点滅や照射時間等を自由に制御できるようにした。
【００１７】
８は上部透明筒体で、下部透明筒体９に対して上下動して高さを変更できるようになっている。１０は例えば螺旋部や凹凸部のような係合部で、上部透明筒体の位置を可変とした。
【００１８】
１１は通気孔で、上下の透明筒体にそれぞれ設け、植物が呼吸を十分できるようにした。１２は土及び育成剤等を含む土壌部、１３はドリップ部である。１４は苗又は種子などの植物である。
【産業上の利用可能性】
【００１９】
本考案では、植物の育成を向上させるＬＥＤを利用した植物育成装置を提供できる。
【図面の簡単な説明】
【００２０】
【図１】本考案植物育成装置の断面図
【図２】上部透明筒体を下降させた状態を示す断面図
【図３】同植物育成装置の斜視図
【図４】パネルの平面図
【図５】上部透明筒体と下部透明筒体の係合部を示す拡大説明図
【符号の説明】
【００２１】
１  ：  パネル
２  ：  赤色ＬＥＤ
３  ：  青色ＬＥＤ
４  ：  駆動源
５  ：  給水管
６  ：  散水板
７  ：  制御部
８  ：  上部透明筒体
９  ：  下部透明筒体
１０：  係合部
１１：  通気孔
１２：  土壌部
１３：  ドリップ部
１４：  苗又は種子などの植物
【図１】
0003105360.tif 000003
【図２】
0003105360.tif 000004
【図３】
0003105360.tif 000005
【図４】
0003105360.tif 000006
【図５】
0003105360.tif 000007